【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
第１の透明電極、および画素スイッチング素子がマトリクス状に形成された第１の透明基板と、前記第１の透明電極と対向する側に第２の透明電極が形成された第２の透明基板と、前記第１の透明基板と前記第２の透明基板との間に保持された液晶層とを有し、
前記第１の透明基板の側には光反射層によって前記第１の透明電極と前記第２の透明電極とが対向する画素に反射表示領域を構成し、当該画素の残りの領域を透過表示領域とする半透過反射型液晶装置において、
前記第１の透明基板および前記第２の透明基板は、前記反射表示領域における前記液晶層の層厚を前記透過表示領域における前記液晶層の層厚よりも薄くするように形成されていることを特徴とする半透過反射型液晶装置。
【請求項２】
請求項１において、前記第２の透明基板の液晶層側では、前記第２の電極の下層側に形成される膜の総厚が前記透過表示領域よりも前記反射表示領域で厚いことを特徴とする半透過反射型液晶装置。
【請求項３】
請求項１において、前記第１の透明基板の液晶層側では、前記第１の電極の下層側に形成される膜の総厚が前記透過表示領域よりも前記反射表示領域で厚いことを特徴とする半透過反射型液晶装置。
【請求項４】
請求項１において、前記第１の透明基板および前記第２の透明基板のうちの一方の透明基板の液晶層側には、前記反射表示領域における前記液晶層の層厚を前記透過表示領域における前記液晶層の層厚よりも薄くする層厚調整層が形成されていることを特徴とする半透過反射型液晶装置。
【請求項５】
請求項４において、前記層厚調整層は、前記第２の透明基板の方に形成されていることを特徴とする半透過反射型液晶装置。
【請求項６】
請求項５において、前記層厚調整層は、前記前記反射表示領域に選択的に形成された透明層であることを特徴とする半透過反射型液晶装置。
【請求項７】
請求項５において、前記層厚調整層は、前記反射表示領域で厚く、前記透過表示領域では前記反射表示領域よりも薄く形成された透明層であることを特徴とする半透過反射型液晶装置。
【請求項８】
請求項６または７において、前記第２の透明基板の前記液晶層側には、前記画素にカラーフィルタが形成されていることを特徴とする半透過反射型液晶装置。
【請求項９】
請求項６または７において、前記第２の透明基板の前記液晶層側には、前記画素のうちの前記透過表示領域に前記透明層よりも上層側および下層側のうちの一方に透過表示用カラーフィルタが形成され、前記反射表示領域には、前記透明層に対して前記透過表示用カラーフィルタと同一の側に反射表示用カラーフィルタが形成されていることを特徴とする半透過反射型液晶装置。
【請求項１０】
請求項６または７において、前記第２基板の前記液晶層側には、前記画素のうちの前記透過表示領域に前記透明層よりも上層側および下層側のうちの一方に透過表示用カラーフィルタが形成され、前記反射表示領域には、前記透明層に対して前記透過表示用カラーフィルタと反対側に反射表示用カラーフィルタが形成されていることを特徴とする半透過反射型液晶装置。
【請求項１１】
請求項９または１０において、前記透過表示用カラーフィルタは、前記反射表示用カラーフィルタと比較して色度域が広いことを特徴とする半透過反射型液晶装置。
【請求項１２】
請求項１１において、前記透過表示用カラーフィルタは、前記反射表示用カラーフィルタと色材の種類あるいは配合量が異なることにより色度域が広いことを特徴とする半透過反射型液晶装置。
【請求項１３】
請求項９ないし１２のいずれかにおいて、前記透過表示用カラーフィルタと前記反射表示用カラーフィルタは、膜厚が等しいことを特徴とする半透過反射型液晶装置。
【請求項１４】
請求項９ないし１２のいずれかにおいて、前記反射表示用カラーフィルタは、前記透過表示用カラーフィルタと比較して膜厚が厚いことを特徴とする半透過反射型液晶装置。
【請求項１５】
請求項５において、前記層厚調整層は、前記画素のうち、前記透過表示領域に薄く形成された透過表示用カラーフィルタ、および前記反射表示領域で前記透過表示用カラーフィルタよりも厚く形成された反射表示用カラーフィルタから構成されていることを特徴とする半透過反射型液晶装置。
【請求項１６】
請求項１５において、前記透過表示用カラーフィルタは、薄くて色度域の広い第１の色材層から形成され、前記反射表示用カラーフィルタは、前記第１の色材層よりも厚くて色度域の狭い第２の色材層から形成されていることを特徴とする半透過反射型液晶装置。
【請求項１７】
請求項１５において、前記透過表示用カラーフィルタは、第１の色材層から形成され、前記反射表示用カラーフィルタは、前記透過表示用カラーフィルタと一体に形成された第１の色材層と、当該第１の色材層の上層あるいは下層側に積層された第２の色材層とから形成されていることを特徴とする半透過反射型液晶装置。
【請求項１８】
請求項１ないし１７のいずれかに規定する半透過反射型液晶装置を表示部に備えることを特徴とする電子機器
【手続補正２】
【補正対象書類名】明細書
【補正対象項目名】００１１
【補正方法】変更
【補正の内容】
【００１１】
【課題を解決するための手段】
上記課題を解決するために、本発明では、第１の透明電極、および画素スイッチング素子がマトリクス状に形成された第１の透明基板と、前記第１の透明電極と対向する側に第２の透明電極が形成された第２の透明基板と、前記第１の透明基板と前記第２の透明基板との間に保持された液晶層とを有し、前記第１の透明基板の側には光反射層によって前記第１の透明電極と前記第２の透明電極とが対向する画素に反射表示領域を構成し、当該画素の残りの領域を透過表示領域とする半透過反射型液晶装置において、前記第１の透明基板および前記第２の透明基板は、前記反射表示領域における前記液晶層の層厚を前記透過表示領域における前記液晶層の層厚よりも薄くするように形成されていることを特徴とする。
【手続補正３】
【補正対象書類名】明細書
【補正対象項目名】００１２
【補正方法】変更
【補正の内容】
【００１２】
例えば、前記第１の透明基板の液晶層側では、前記第１の電極の下層側に形成される膜の総厚が、前記透過表示領域よりも前記反射表示領域で厚くなっている。また、前記第２の透明基板の液晶層側では、前記第２の電極の下層側に形成される膜の総厚が、前記透過表示領域よりも前記反射表示領域で厚くなっている構成でもよい。
【手続補正４】
【補正対象書類名】明細書
【補正対象項目名】００１４
【補正方法】変更
【補正の内容】
【００１４】
このように構成するにあたっては、例えば、前記第１の透明基板および前記第２の透明基板のうちの一方の透明基板の液晶層側には、前記反射表示領域における前記液晶層の層厚を前記透過表示領域における前記液晶層の層厚よりも薄くする層厚調整層を形成すればよい。
【手続補正５】
【補正対象書類名】明細書
【補正対象項目名】００１７
【補正方法】変更
【補正の内容】
【００１７】
本発明において、カラー表示を行う場合には、前記第２の透明基板の前記液晶層側には、前記画素にカラーフィルタが形成される。
【手続補正６】
【補正対象書類名】明細書
【補正対象項目名】００１９
【補正方法】変更
【補正の内容】
【００１９】
また、前記第２基板の前記液晶層側には、前記画素のうちの前記透過表示領域に前記透明層よりも上層側および下層側のうちの一方に透過表示用カラーフィルタが形成され、前記反射表示領域には、前記透明層に対して前記透過表示用カラーフィルタと反対側に反射表示用カラーフィルタが形成されている構成であってもよい。